(57)【要約】      （修正有）【課題】回転素子の回転に基づく発電による電気的出力によって作動装置の作動部材を初期的に作動させるように駆動した上で、外部電源手段からの給電により当該作動部材をその初期的作動に続いてさらに作動させるように駆動する遊技機を提供する。【解決手段】全波整流器２３０が遊技球との衝突による羽根車の回転に応じた交流発電機３１０の発電電圧を全波整流してコンデンサ４１０を充電する。電磁リレー４３０が当該充電に基づくツェナーダイオード４２０のブレークにより可動接点３４２ａを接地すると、発射パルス生成回路４６１からゲート回路４６２を通し発射パルスを発生させ、補助リニアアクチュエータ９０ｄが球発射装置の槌部材を初期回動させ、ロータリーソレノイド９０ｃが遅延回路４６３からの遅延信号に基づき主電磁リレー２２０を介し商用電源ＰＳから給電されて槌部材を上記初期回動に続きさらに回動させて遊技球を発射させる。【選択図】図１２
2009072337.tif 000002
【特許請求の範囲】
【請求項１】
遊技機本体と、
この遊技機本体に設けられる作動部材と、
蓄電手段と、
この蓄電手段から放電出力を供給されたとき前記作動部材を初期的に作動させるように駆動する補助駆動手段と、主電源手段から給電されたとき前記作動部材を前記初期的作動に続いてさらに作動させるように駆動する主駆動手段とを備える作動部材駆動手段と、
前記遊技機本体における前記遊技球の移動に伴い発電する発電手段を有し、この発電手段の発電出力でもって前記蓄電手段を充電する補助電源手段と、
前記蓄電手段の充電完了状態を検出する充電完了状態検出手段と、
前記充電完了状態検出手段による前記充電完了状態の検出に基づき前記蓄電手段からの前記放電出力を前記補助駆動手段に供給する補助供給手段と、
この補助駆動手段による前記駆動後に前記主電源手段から前記主駆動手段に給電させる主供給手段とを備える遊技機。
【請求項２】
前記補助供給手段は、
所定の周期の発射パルスを発生する発射パルス生成回路と、
前記充電完了状態検出手段による前記充電完了状態の検出及び操作ハンドルの操作に基づき前記発射パルス生成回路からの発射パルスをゲート信号として発生するゲート回路と、
このゲート回路からのゲート信号を所定の遅延時間の経過時に遅延信号として発生する遅延回路とを備えて、
前記ゲート回路からの前記ゲート信号に基づき前記蓄電手段からの前記放電出力を前記補助駆動手段に供給し、
前記主供給手段は、前記遅延回路からの遅延信号に基づき前記主電源手段から前記主駆動手段に給電させるようにしたことを特徴とする請求項１に記載の遊技機。
【請求項３】
前記遊技機本体にその前後方向に開閉可能に支持される前扉と、
当該前扉の後面下部に設けられて前記前扉の前面下部に設けた球受け皿内の遊技球を誘導する球誘導手段とを備えて、
前記作動部材は、前記遊技機本体の前面下部に回動可能に支持されて、前記球誘導手段により誘導された前記遊技球を前記遊技機本体の遊技領域に向けて発射するように一方向へ回動し、また、この回動後前記一方向とは逆方向へ復帰する槌部材であり、
前記作動部材駆動手段は、前記補助駆動手段及び前記主駆動手段からなる槌駆動手段であって、この槌駆動手段は、前記補助供給手段を介する前記蓄電手段からの前記放電出力の供給に基づき前記槌部材を前記補助駆動手段により初期的に前記一方向に回動させ、前記主供給手段を介する前記主電源手段からの給電に基づき前記槌部材を前記主駆動手段により前記初期的回動に続いて前記遊技球を発射させるように前記一方向へさらに回動させるようにしたことを特徴とする請求項１または２に記載の遊技機。
【請求項４】
前記遊技機本体に設けられて所定数の遊技球を払い出し通路を通して前記球受け皿内に払い出す球払い出し手段を備えて、
前記補助電源手段は、前記発電手段を前記払い出し通路内に配設して、この払い出し通路内に払い出される前記各遊技球の移動に伴い前記発電手段により発電するようにしたことを特徴とする請求項３に記載の遊技機。
【請求項５】
前記遊技機本体に構成される前記遊技球の下方への移動経路内に配設されて当該遊技球との衝突により回転する回転素子を備えて、
前記蓄電手段はコンデンサ手段であり、
前記補助電源手段は、前記回転素子に連結される小型発電機を前記発電手段として有し、前記回転素子の回転に伴う前記小型発電機の発電出力でもって前記コンデンサ手段を充電するようになっており、
前記槌部材駆動手段は、前記補助供給手段を介する前記コンデンサ手段からの前記放電出力の供給に基づき前記槌部材を初期的に前記一方向に回動させる補助リニアアクチュエータを前記補助駆動手段として有し、かつ、前記主供給手段を介する前記主電源手段からの給電に基づき、前記槌部材を前記初期的回動に続いて前記遊技球を発射させるように前記一方向へさらに回動させる電気的回動手段を前記主駆動手段として有することを特徴とする請求項３または４に記載の遊技機。
【請求項６】
前記遊技機本体の遊技領域に設けられる他の回転素子をさらに備え、
前記補助電源手段は、さらに、前記他の回転素子に連結される他の小型発電機を有し、前記他の回転素子の回転に伴う前記他の小型発電機の発電出力によっても、前記コンデンサ手段を充電するようにしたことを特徴とする請求項５に記載の遊技機。
【請求項７】
前記回転素子は羽根車であり、
前記補助電源手段は、小型交流発電機を前記小型発電機とし、当該小型交流発電機の交流発電出力を整流し直流出力を発生する整流器を有し、
前記コンデンサ手段は、前記整流器から前記直流出力を供給されて充電されるコンデンサであり、
前記充電完了状態検出手段は、前記コンデンサが充電完了状態になったときこのコンデンサの充電電圧を一定に維持するツェナーダイオードと、前記コンデンサから前記ツェナーダイオードを通し放電される出力に基づき駆動されて前記コンデンサの充電完了状態を検出する充電完了状態検出リレー手段とを備え、
前記補助供給手段は、前記遊技球の発射時期となったとき前記充電完了状態検出リレー手段による前記充電完了状態の検出に基づき前記コンデンサからの前記放電出力を前記補助リニアアクチュエータに供給する補助リレー手段であり、
前記主供給手段は、前記補助リニアアクチュエータの前記槌部材に対する駆動後、前記整流器からの前記直流出力を前記電気的回動手段に供給する主リレー手段であることを特徴とする請求項５または６に記載の遊技機。
【発明の詳細な説明】
【技術分野】
【０００１】
本発明は、パチンコ遊技機、アレンジボール又は雀球遊技機等の遊技機に関する。
【背景技術】
【０００２】
従来、多数のパチンコ遊技機を配設してなるホールにおいては、多量の商用電力が、終日、当該ホールの内部照明に消費されている。また、多数のパチンコ遊技機においても、多量の商用電力が、終日、表示装置、種々のランプ、球発射装置等の種々の作動装置や種々の役物によって消費されている。このため、近年、上述した商用電力の消費に対する軽減対策が強く要請されている。
【０００３】
そこで、パチンコ遊技機の商用電力の消費に対する軽減対策について検討してみる。例えば、パチンコ遊技機の種々の役物のうち、羽根車は、遊技領域内を移動する各遊技球との衝突により機械的に回転される。このような機械的な回転を利用すれば、発電が可能である。
【０００４】
このような例としては、下記特許文献１に記載の遊技機が提案されている。この遊技機は、遊技球との衝突による羽根車の回転でもって発電機を駆動して発電し、この発電による電力でもってランプを点灯するようになっている。
【特許文献１】特許３０３３５１９号公報
【特許文献２】特開２００３−１１７０９３号公報
【発明の開示】
【発明が解決しようとする課題】
【０００５】
ところで、上述した商用電力の消費軽減対策の一環として、上述の羽根車の回転に基づく発電電力を、例えば、パチンコ遊技機の球発射装置の槌部材の回動のために利用することが考えられる。
【０００６】
しかしながら、球発射装置の槌部材としての電気的負荷がランプに比べてかなり大きい。特に、槌部材の初期的回動の際には、当該槌部材の静止摩擦に打ち勝つような瞬間的に大きな電力が必要である。従って、上述の羽根車の回転に基づく発電電力に依っては、ランプを点灯し得たとしても、槌部材を良好には回動させにくい。
【０００７】
これに対しては、特許文献２に記載の電力補給型遊技機において提案されているように、上述の発電電力をコンデンサで蓄えた上で、この蓄電電力でもって球発射装置の槌部材を回動することも考えられる。これによれば、上述した槌部材の初期的回動は可能であっても、当該槌部材の初期回動後のさらなる回動までは不可能である。
【０００８】
そこで、本発明は、以上のようなことに対処するため、羽根車等の回転素子の回転に基づく発電による電気的出力によって球発射装置等の種々の作動装置の作動部材を初期的に作動させるように駆動した上で、外部電源手段からの給電により当該作動部材をその初期的作動に続いてさらに作動させるように駆動する遊技機を提供することを目的とする。
【課題を解決するための手段】
【０００９】
上記課題の解決にあたり、本発明に係る遊技機は、請求項１の記載によれば、
遊技機本体（Ｂ）と、
この遊技機本体に設けられる作動部材（９０ｂ）と、
蓄電手段（４１０）と、
この蓄電手段から放電出力を供給されたとき作動部材を初期的に作動させるように駆動する補助駆動手段（９０ｄ、５４０）と、主電源手段（２００、ＰＳ）から給電されたとき作動部材を上記初期的作動に続いてさらに作動させるように駆動する主駆動手段（９０ｃ、５７０）とを備える作動部材駆動手段（９０）と、
遊技機本体における遊技球の移動に伴い発電する発電手段（３１０、３３０）を有し、この発電手段の発電出力でもって蓄電手段を充電する補助電源手段（３００）と、
蓄電手段の充電完了状態を検出する充電完了状態検出手段（４２０、４３０）と、
充電完了状態検出手段による上記充電完了状態の検出に基づき蓄電手段からの上記放電出力を補助駆動手段に供給する補助供給手段（１００、４４０、４５０、５００、５１０、５３０、４６０Ａ）と、
この補助駆動手段による上記駆動後に主電源手段から主駆動手段に給電させる主供給手段（５６０、２２０、２３０）とを備える。
【００１０】
これにより、蓄電手段が、当該遊技機の出荷の際、或いはホールにおける配設の際等において、予め、充電完了状態にあれば、遊技球の発射時期となったとき充電完了状態検出手段による蓄電手段の充電完了状態の検出のもと、作動部材駆動手段の補助駆動手段が、補助供給手段により蓄電手段の放電出力を供給されて、作動部材を初期的に作動させるように駆動する。この駆動後、作動部材駆動手段の主駆動手段が、主供給手段を介し主電源手段から給電されて、作動部材を上記初期的作動に続いてさらに作動させるように駆動する。よって、作動部材は、その初期的作動をした後、これに続いてさらに作動することで、遊技球を移動させる。
【００１１】
このような移動に伴い、遊技球が移動すると、発電手段がその発電出力でもって蓄電手段を充電する。このような充電は、上述のような作動部材の作動による遊技球の移動を繰り返すことで、繰り返される。
【００１２】
従って、上述したように、蓄電手段の放電出力が補助駆動手段に供給されても、蓄電手段の充電が上述した予めの充電後においてさらになされるので、当該蓄電手段は、常時、充電完了状態に維持されることとなる。これにより、蓄電手段の充電不足を未然に防止しつつ、補助駆動手段を、蓄電手段の放電出力でもって、良好に、駆動し得る。
【００１３】
その結果、作動部材による遊技球の移動にあたり、作動部材に大きな静止摩擦抵抗が作用していても、補助駆動手段でもって、作動部材を良好に初期作動させることができる。
【００１４】
さらに、作動部材を、初期作動させた上で、主駆動手段によりさらに作動させるので、当該主駆動手段の作動部材に対する駆動力が、補助駆動手段に依存することなく主駆動手段のみにより作動部材を作動させる場合に比べて、少なくてすむ。その結果、蓄電手段の放電出力を補助駆動手段の駆動に利用することで、主駆動手段の駆動に要する外部電源手段の電力消費が良好に軽減され得る。
【００１５】
また、本発明は、請求項２の記載によれば、請求項１に記載の遊技機において、
補助供給手段は、
所定の周期の発射パルスを発生する発射パルス生成回路（４６１）と、
充電完了状態検出手段による上記充電完了状態の検出及び操作ハンドル（１００）の操作に基づき発射パルス生成回路からの発射パルスをゲート信号として発生するゲート回路（４６２）と、
このゲート回路からのゲート信号を所定の遅延時間の経過時に遅延信号として発生する遅延回路（４６３）とを備えて、
ゲート回路からの上記ゲート信号に基づき蓄電手段からの上記放電出力を補助駆動手段に供給し、
主供給手段は、遅延回路からの遅延信号に基づき主電源手段から主駆動手段に給電させるようにしたことを特徴とする。
【００１６】
このように、補助供給手段を、発射パルス生成回路、ゲート回路及び遅延回路で構成することで、請求項１に記載の発明と同様の作用効果が達成され得る。
【００１７】
また、本発明は、請求項３の記載によれば、請求項１または２に記載の遊技機において、
遊技機本体にその前後方向に開閉可能に支持される前扉（Ｄ）と、
当該前扉の後面下部に設けられて前扉の前面下部に設けた球受け皿（８０ａ）内の遊技球を誘導する球誘導手段（８０）とを備えて、
作動部材は、遊技機本体の前面下部に回動可能に支持されて、球誘導手段により誘導された遊技球を遊技機本体の遊技領域に向けて発射するように一方向へ回動し、また、この回動後前記一方向とは逆方向へ復帰する槌部材（９０ｂ）であり、
作動部材駆動手段は、補助駆動手段及び主駆動手段からなる槌駆動手段（９０）であって、この槌駆動手段は、補助供給手段を介する蓄電手段からの上記放電出力の供給に基づき槌部材を補助駆動手段により初期的に前記一方向に回動させ、主供給手段を介する主電源手段からの給電に基づき槌部材を主駆動手段により上記初期的回動に続いて遊技球を発射させるように上記一方向へさらに回動させるようにしたことを特徴とする。
【００１８】
これにより、蓄電手段が、当該遊技機の出荷の際、或いはホールにおける配設の際等において、予め、充電完了状態にあれば、遊技球の発射時期となったとき充電完了状態検出手段による蓄電手段の充電完了状態の検出のもと、補助駆動手段は、補助供給手段により蓄電手段の放電出力を供給されて、槌部材を初期的に上記一方向に回動させる。この回動後、主駆動手段が、主供給手段を介し主電源手段から給電されて、槌部材を上記初期的回動に続いて遊技球を発射させるように上記一方向へさらに回動させる。よって、槌部材は、その初期的回動をした後、これに続いてさらに上記一方向へ回動することで、遊技球を発射させる。
【００１９】
このような発射に伴い、遊技球が移動すると、発電手段が発電して発電出力でもって蓄電手段を充電する。このような充電は、上述のような槌部材による遊技球の発射を繰り返すことで、繰り返される。
【００２０】
従って、上述したように、蓄電手段の放電出力が補助駆動手段に供給されても、蓄電手段の充電が上述した予めの充電後においてさらになされるので、当該蓄電手段は、常時、充電完了状態に維持されることとなる。これにより、蓄電手段の充電不足を未然に防止しつつ、補助駆動手段を、蓄電手段の放電出力でもって、良好に、駆動し得る。
【００２１】
その結果、槌部材による遊技球の発射にあたり、槌部材に大きな静止摩擦抵抗が作用していても、補助駆動手段でもって、槌部材を良好に初期回動させることができる。
【００２２】
さらに、槌部材を、初期回動させた上で、主駆動手段によりさらに回動させるので、当該主駆動手段の槌部材に対する駆動力が、補助駆動手段に依存することなく主駆動手段のみにより槌部材を回動させる場合に比べて、少なくてすむ。その結果、蓄電手段の放電出力を補助駆動手段の駆動に利用することで、主駆動手段の駆動に要する主電源手段の電力消費が良好に軽減され得る。
【００２３】
また、本発明は、請求項４の記載によれば、請求項３に記載の遊技機において、
遊技機本体に設けられて所定数の遊技球を払い出し通路（１０ａ）を通して球受け皿内に払い出す球払い出し手段を備えて、
補助電源手段は、発電手段を払い出し通路内に配設して、この払い出し通路内に払い出される各遊技球の移動に伴い発電手段により発電するようにしたことを特徴とする。
【００２４】
これによれば、所定数の遊技球が払い出し通路を通り球受け皿内に払い出されると、この払い出し過程において、発電手段が、払い出し通路内に払い出される各遊技球の移動に伴い、発電して発電出力でもって蓄電手段を充電する。このような充電は、上述のように順次払い出し通路への遊技球の払い出しでもって、繰り返されて、蓄電手段は充電完了状態になる。
【００２５】
当該蓄電手段が、当該遊技機の出荷の際、或いはホールにおける配設の際等において、未充電状態にあっても、上述のような遊技球の払い出し過程における蓄電手段の充電による放電出力でもって、その後の槌駆動手段による遊技球の発射が請求項３に記載の発明と同様に、主駆動手段の駆動に要する主電源手段の電力消費を良好に軽減しつつ確保される。
【００２６】
また、本発明は、請求項５の記載によれば、請求項３または４に記載の遊技機において、
遊技機本体に構成される遊技球の下方への移動経路内に配設されて当該遊技球との衝突により回転する回転素子（３０、３０Ａ）を備えて、
蓄電手段はコンデンサ手段（４１０）であり、
補助電源手段は、回転素子に連結される小型発電機（３１０）を発電手段として有し、回転素子の回転に伴う小型発電機の発電出力でもってコンデンサ手段を充電するようになっており、
槌部材駆動手段は、補助供給手段を介するコンデンサ手段からの上記放電出力の供給に基づき槌部材を初期的に上記一方向に回動させる補助リニアアクチュエータ（９０ｄ）を補助駆動手段として有し、かつ、主供給手段を介する主電源手段からの給電に基づき、槌部材を上記初期的回動に続いて遊技球を発射させるように上記一方向へさらに回動させる電気的回動手段（９０ｃ）を主駆動手段として有することを特徴とする。
【００２７】
このように、補助電源手段において、遊技球の下方への移動経路内に配設した回転素子に連結される小型発電機を前記発電手段とし、槌部材駆動手段において、補助リニアアクチュエータ及び電気的回動手段をそれぞれ補助駆動手段及び主駆動手段としても、請求項３または４に記載の発明と同様の作用効果が達成され得る。
【００２８】
また、本発明は、請求項６の記載によれば、請求項５に記載の遊技機において、
遊技機本体の遊技領域に設けられる他の回転素子（３０、３０Ａ）をさらに備え、
補助電源手段は、さらに、他の回転素子に連結される他の小型発電機（３３０、３１０））を有し、他の回転素子の回転に伴う他の小型発電機の発電出力によっても、コンデンサ手段を充電するようにしたことを特徴とする。
【００２９】
これによれば、他の回転素子が遊技球との衝突毎に回転し、他の小型発電機が発電し、コンデンサ手段が充電される。これにより、コンデンサ手段は、当該遊技機の出荷前の充電後或いは遊技球の払い出しによる充電後において、その放電出力により補助リニアアクチュエータを駆動しても、これに影響されることなく、充電完了状態に維持され得る。
【００３０】
従って、上述のような遊技機の出荷前の充電後或いは遊技球の払い出し後において、遊技球の発射を、補助リニアアクチュエータ及び電気的回動手段による槌部材の回動でもって、良好に確保しつつ、請求項５に記載の発明と同様の作用効果が達成され得る。
【００３１】
また、本発明は、請求項７の記載によれば、請求項５また６に記載の遊技機において、
回転素子は羽根車（３０、３０Ａ）であり、
補助電源手段は、小型交流発電機（３１０、３３０）を小型発電機とし、当該小型交流発電機の交流発電出力を整流し直流出力を発生する整流器（３２０、３４０）を有し、
コンデンサ手段は、整流器から上記直流出力を供給されて充電されるコンデンサで（４１０）あり、
充電完了状態検出手段は、コンデンサが充電完了状態になったときこのコンデンサの充電電圧を一定に維持するツェナーダイオード（４２０）と、コンデンサからツェナーダイオードを通し放電される出力に基づき駆動されてコンデンサの充電完了状態を検出する充電完了状態検出リレー手段（４３０）とを備え、
補助供給手段は、遊技球の発射時期となったとき充電完了状態検出リレー手段による上記充電完了状態の検出に基づきコンデンサからの上記放電出力を補助リニアアクチュエータに供給する補助リレー手段（４４０）であり、
主供給手段は、補助リニアアクチュエータの槌部材に対する駆動後、整流器からの上記直流出力を電気的回動手段に供給する主リレー手段（２２０）であることを特徴とする。
【００３２】
これにより、請求項５または６に記載の発明の作用効果がより一層具体的に達成され得る。
【００３３】
なお、上記各手段の括弧内の符号は、後述する実施形態に記載の具体的手段との対応関係を示すものである。
【発明を実施するための最良の形態】
【００３４】
以下、本発明の各実施形態を図面により説明する。
（第１実施形態）
図１は、本発明を適用してなるパチンコ遊技機の第1実施形態を示している。このパチンコ遊技機は、ホール内の島に他のパチンコ遊技機とともに立設されるもので、当該パチンコ遊技機は、機枠Ｆ、遊技機本体Ｂ及び前扉Ｄを備えている。なお、機枠Ｆは、上記島において上板と下板（図示しない）との間に挟持されて支持される。また、前扉Ｄは、遊技機本体Ｂの板状本体枠Ｂａ（後述する）とともに機枠Ｆにその前後方向に開閉可能に支持されている。また、図１において、紙面の左側、右側、上側、下側、手前側及び奥側が、それぞれ、当該パチンコ遊技機の左側、右側、上側、下側、前側及び後側に対応する。
【００３５】
遊技機本体Ｂは、板状本体枠Ｂａ及び遊技盤Ｂｂを備えている。遊技盤Ｂｂは、遊技板１０を有しており、この遊技板１０は、互いに積層した複数のベニア板に化粧板を貼り付けて構成されて、板状本体枠Ｂａの中空部に嵌装されている。なお、遊技板１０の表面、即ち上記化粧板の表面は遊技盤Ｂｂの盤面に相当する。
【００３６】
また、遊技盤Ｂｂは、ガイドレール２０、羽根車３０、ゲート４０、スルーチャッカー５０、スタートチャッカー６０及び多数の障害釘７０を備えている。
【００３７】
ガイドレール２０は、内側レール部２０ａ及び外側レール部２０ｂを有し、遊技盤Ｂｂの盤面の外周部に沿い設けられており、このガイドレール２０は、内側レール部２０ａの内側にて、遊技盤Ｂｂの盤面上に遊技領域を形成する。
【００３８】
羽根車３０は、図１にて示すごとく、板状本体枠Ｂａの上記中空部の左側にて遊技盤Ｂｂの盤面に設けられている。この羽根車３０は、図２及び図３にて示すごとく、円板３１、羽根部材３２及び支持軸３３を備えている。羽根部材３２は、中空軸３２ａ及び複数の板羽根３２ｂを有しており、中空軸３２ａは円板３１の中央穴部からその板厚方向に向け後方へ延出されている。複数の板羽根３２ｂは、中空軸３２ａから半径方向へ外方に向け放射状に延出されている。支持軸３３は釘からなるもので、この支持軸３３は、円板３１の中央穴部及び中空軸３２ａに相対的に回動自在に挿通されて遊技板１０に支持されている。これにより、羽根車３０は、遊技盤Ｂｂの盤面上にて、回転可能に支持されている。
【００３９】
ゲート４０は、遊技板１０の中央開口部の左側にて遊技盤Ｂｂの盤面に取付けられている。スルーチャッカー５０は、遊技板１０の上記中央開口部の中心の直下にて遊技盤Ｂｂの盤面に取付けられている。スタートチャッカー６０は、スルーチャッカー５０の直下にて遊技盤Ｂｂの盤面に取付けられている。
【００４０】
多数の障害釘７０は、図１にて示すごとく、遊技盤Ｂｂの上記遊技領域において、遊技板１０に分散して打ち込まれている。なお、例えば、多数の障害釘７０のうちのいくつかの障害釘７０は、羽根車３０の近傍において、当該羽根車３０の羽根部材３２の板羽根３２ｂに向けて遊技球を移動させるように、遊技板１０に打ち込まれている。
【００４１】
当該パチンコ遊技機は、図１にて示すごとく、球発射装置Ｕを備えており、この球発射装置Ｕは、前扉Ｄの球誘導機構８０の誘導路８１内に誘導される遊技球を、遊技盤Ｂｂのガイドレール２０を介し上記遊技領域内に発射するように構成されている。
【００４２】
ここで、球誘導機構８０は、図１にて示すごとく、前扉Ｄの後面下部に設けられているもので、当該球誘導機構８０は、前扉Ｄの前面下部に設けた球受け皿８０ａ内に貯留される遊技球を、当該球受け皿８０ａの球吐出口部（図示しない）から誘導路８１内に誘導するように構成されている。
【００４３】
球発射装置Ｕは、装置本体Ｕａ（図１参照）と、制御装置Ｕｂ（図５参照）とでもって構成されている。装置本体Ｕａは、球発射ユニット９０及び操作ハンドル１００を備えている。球発射ユニット９０は、操作ハンドル１００と共に、板状本体枠Ｂａの下部の右側部位に設けられている。
【００４４】
球発射ユニット９０は、図１及び図４にて示すごとく、支持板９０ａを有しており、この支持板９０ａは、図１にて示すごとく、板状本体枠Ｂａの下部の左側部位に形成した支持穴部（図示しない）に嵌装支持されている。
【００４５】
また、当該球発射ユニット９０は、図４にて拡大して示すごとく、槌部材９０ｂ、主発射機構９０ｃ及び補助発射機構９０ｄを有している。槌部材９０ｂは、Ｌ字状の槌本体９１及びコイルバネ９２でもって構成されている。槌本体９１は、その回動部９１ａの基端孔部にて、後述のごとく支持板９０ａの上側中間部位を介し主発射機構９０ｃの回動軸に六角ナット９３を締着することで、支持板９０ａの面に沿い回動可能に支持されている。
【００４６】
本実施形態では、槌本体９１の回動部９１ａは、反時計方向への回動（自己復帰）すべく、支持軸９３に同軸的に巻装した渦巻き状戻しバネ（図示しない）により、反時計方向に付勢されている。但し、当該渦巻き状戻しバネは、その両端部にて、回動部９１ａと支持板９０ａとの間に係止している。
【００４７】
また、槌本体９１の回動部９１ａの時計方向への回動或いは反時計方向への回動（自己復帰）は、左側槌ストッパ９４ａ或いは右側槌ストッパ９４ｂにより規制されるようになっている。なお、左側槌ストッパ９４ａは、図４にて示すごとく、回動部９１ａの左側にて支持板９０ａに設けられており、右側槌ストッパ９４ｂは、図４にて示すごとく、回動部９１ａの右側にて支持板９０ａに設けられている。
【００４８】
上述したコイルバネ９２は、図４にて示すごとく、槌本体９１の槌部９１ｂの先端小径部９１ｃに同軸的に嵌装されている。このコイルバネ９２は、その基端部にて、槌部９１ｂの先端小径部９１ｃに係止されており、当該コイルバネ９２の先端部９２ａは、槌本体９１の先端小径部９１ｃの先端からさらに左方へ延出し自由端となっている。
【００４９】
主発射機構９０ｃは、図４にて示すごとく、ロータリーソレノイド（以下、ロータリーソレノイド９０ｃともいう）でもって構成されている。このロータリーソレノイド９０ｃは、そのフランジにて、支持板９０ａの後面に取り付けられており、当該ロータリーソレノイド９０ｃの回動軸（主発射機構９０ｃの回動軸に相当）は、支持板９０ａの上側中間部位に形成した貫通孔部に挿通されて、槌本体９１の回動部９１ａの基端孔部を通して六角ナット９３と同軸的に締着支持されている。また、当該ロータリーソレノイド９０ｃは、渦巻き状スプリング（図示しない）により、反時計方向に付勢されている。なお、上記渦巻き状スプリングは、ロータリーソレノイド９０ｃの回動軸に同軸的に巻装されており、この渦巻き状スプリングは、その両端部にて、ロータリーソレノイド９０ｃのフランジと回動軸との間に係止されている。
【００５０】
これにより、ロータリーソレノイド９０ｃは、その印加電圧に応じて、槌部材９０ｂと共に、図４にて図示時計方向に回動する。また、当該ロータリーソレノイド９０ｃは、上記印加電圧から遮断されて、上記渦巻き状スプリングの付勢により図４にて図示反時計方向へ右側ストッパ９４ｂに当接する回動位置（原回動位置）まで回動する。
【００５１】
補助発射機構９０ｄは、リニアアクチュエータ（以下、補助リニアアクチュエータ９０ｄともいう）からなるもので、この補助リニアアクチュエータ９０ｄは、図４にて示すごとく、支持板９０ａの右側下部に設けられている。
【００５２】
当該補助リニアアクチュエータ９０ｄは、筒状ケーシング９５を有しており、このケーシング９５は、その軸にて、槌本体９１の回転半径に直交するように、支持板９０ａに設けられている。このケーシング９５には、ロッド状鉄心９６が、ソレノイド（図示しない）を介し、同軸的にかつ軸動可能に嵌装されている。また、鉄心９６は、その軸方向先端部９６ａにて、図４にて示すごとく槌本体９１の回動部９１ａにその左側から直角にて対向するように、ケーシング９５の軸方向前壁部から延出しており、当該鉄心９６の軸方向後端部９６ｂは、ケーシング９５の軸方向後壁部から延出している。本実施形態では、鉄心９６の軸長は、槌本体９１の回動部９１ａを図７の図示実線の位置（原回動位置）にて当該鉄心９６により押打し得るように設定されている。
【００５３】
また、コイルバネ９５ａが、鉄心９６の軸方向後端部９６ｂの先端とケーシング９５の軸方向後壁部との間に介装されている。これにより、当該コイルバネ９５ａは、その弾力により、鉄心９６をその軸方向後端側へ付勢している。
【００５４】
このように構成した補助リニアアクチュエータ９０ｄにおいて、鉄心９６は、上記ソレノイドの消磁のもとに、コイルバネ９５ａにより、上記原回動位置（図４参照）に維持される。また、鉄心９６は、上記ソレノイドの励磁により吸引されて、コイルバネ９５ａに抗して軸動し、槌本体９１の回動部９１ａをその右側から押打するように、ケーシング９５から突出する。
【００５５】
本実施形態では、槌本体９１が、その回動部９１ａにて、補助リニアアクチュエータ９０ｄの鉄心９６により押打された後、ロータリーソレノイド９０ｃにより回動されて、後述のごとく発射レール部材９０ｅの下端部上に保持される遊技球を発射させるように、補助リニアアクチュエータ９０ｄのソレノイドの励磁による鉄心９６に対する吸引力が設定されている。
【００５６】
発射レール部材９０ｅは、図１及び図４にて示すごとく、取り付け板部９９ａ及びレール部９９ｂを有している。当該発射レール部材９０ｅは、取り付け板部９９ａにて、支持板９０ａの左側下部に図４にて示すごとく傾斜状に取り付けられている。レール部９９ｂは、取り付け板部９９ａにその上縁部に沿い左側から右側にかけて下方へ傾斜するように形成されており、このレール部９９ｂは、その上面にて、断面Ｖ字状にて上方へ向け開口するように形成されている。
【００５７】
また、球ストッパ９９ｃは、レール部９９ｂの長手方向下端部の直上にて支持板９０ａに設けられており、この球ストッパ９９ｃは、遊技球（図４にて符号Ｓ参照）を、レール部９９ｂの長手方向下端部との間にて、下方へ落下不能な状態にて槌部材９０ｂのコイルバネ９２の先端部９２ａに対向するように保持する役割を果たす。
【００５８】
操作ハンドル１００は、図１にて示すごとく、球発射ユニット９０の右側にて板状本体枠Ｂａの下部に設けられており、当該操作ハンドル１００は、遊技球の発射のために、回動操作されて、ハイレベルにて操作信号を発生する。ここで、当該操作ハンドル１００の回動操作、即ち操作信号の発生は、遊技球に対する発射要求に対応する。
【００５９】
制御装置Ｕｂは、図５にて示すごとく、外部電源回路である主電源回路２００及び補助電源回路３００を備えている。主電源回路２００は、主電源２１０及び電磁リレー２２０を有しており、主電源２１０は、商用電源ＰＳからの交流電圧に基づき直流電圧を発生する。
【００６０】
電磁リレー２２０は、リレーコイル２２１及び常開型リレースイッチ２２２を有する。リレーコイル２２１は、その一端にて、接地されており、このリレーコイル２２１の他端は、駆動回路２３０を介し発射制御回路４６０に接続されている。しかして、リレーコイル２２１は、発射制御回路４６０による制御のもと、駆動回路２３０により励磁或いは消磁される。
【００６１】
リレースイッチ２２２は、その一端にて、ロータリーソレノイド９０ｃを介し接地されており、当該リレースイッチ２２２の他端は主電源２１０の出力端子に接続されている。しかして、リレースイッチ２２２は、リレーコイル２２１の励磁により閉成されて、主電源２１０からの直流電圧をロータリーソレノイド９０ｃに印加し、また、リレーコイル２２１の消磁により開成されて、ロータリーソレノイド９０ｃを主電源２１０から遮断する。
【００６２】
補助電源回路３００は、小型交流発電機３１０及び全波整流器３２０を有する。この補助電源回路３００は、羽根車３０と共に、補助発電装置を構成する。当該交流発電機３１０は、図３にて示すごとく、その入力側フランジ３１１にて、遊技板１０の後面に装着されており、この交流発電機３１０は、その回転軸（図示しない）にて、遊技板１０の貫通孔部（図示しない）を通り羽根車３０の支持軸３３と同軸的に連結されている。しかして、当該交流発電機３１０は、羽根車３０の回転に伴い、駆動されて交流電圧を発生する。
【００６３】
全波整流器３２０は、４つのダイオード３２１〜３２４をブリッジ接続して構成されている。ダイオード３２１のカソード及びダイオード３２２のアノードは、全波整流器３２０の正側電源端子を構成し、ダイオード３２３のアノード及びダイオード３２４のカソードは、全波整流器３２０の負側電源端子を構成する。また、両ダイオード３２２、３２３の各カソードは全波整流器３２０の正側出力端子を構成し、両ダイオード３２１、３２４の各アノードは全波整流器３２０の負側出力端子を構成して接地されている。
【００６４】
しかして、当該全波整流器３２０は、上記正負両側電源端子にて、交流発電機３１０から交流電圧を受けて全波整流し、この全波整流電圧を上記正負両側出力端子から整流電圧（直流電圧）として出力する。
【００６５】
また、当該制御装置Ｕｂは、図５にて示すごとく、電気制御回路４００を有しており、この電気制御回路４００は、主電源回路２００と、補助電源回路３００と、補助リニアアクチュエータ９０ｄのソレノイドとの間に接続されている。
【００６６】
当該電気制御回路４００は、コンデンサ４１０を有しており、このコンデンサ４１０は、全波整流器３２０の正負両側出力端子間に接続されている。しかして、当該コンデンサ４１０は、全波整流器３２０から直流電圧を受けて充電される。
【００６７】
ツェナーダイオード４２０は、そのカソードにて、コンデンサ４１０と全波整流器３２０の正側出力端子との間に接続されており、このツェナーダイオード４２０は、そのアノードにて、電流制限用抵抗４２１及び充電完了検出用電磁リレー４３０のリレーコイル４３１を介し接地されている。
【００６８】
しかして、当該ツェナーダイオード４２０は、コンデンサ４１０の充電電圧の所定電圧への上昇に伴い、ブレークして、一定のブレーク電圧を発生する。このことは、当該ツェナーダイオード４２０が、コンデンサ４１０の充電電圧を、上記所定電圧即ち上記一定のブレーク電圧に維持することを意味する。本実施形態では、コンデンサ４１０の充電電圧の上記所定電圧への到達は、当該コンデンサ４１０の充電完了に対応する。
【００６９】
電磁リレー４３０は、リレーコイル４３１及び常開型リレースイッチ３４２を有しており、リレースイッチ３４２は、可動接点３４２ａと、固定接点３４２ｂとにより構成されている。しかして、リレースイッチ３４２は、リレーコイル４３１の励磁により、可動接点４３２ａにて固定接点４３２ｂに投入されて閉成し、リレーコイル４３１の消磁により可動接点４３２ａにて固定接点４３２ｂから解離して開成する。なお、リレースイッチ３４２は、その固定接点３４２ｂにて、接地されている。
【００７０】
補助電磁リレー４４０は、リレーコイル４４１及び常開型リレースイッチ４４２を有する。リレーコイル４４１は、その一端にて接地されており、このリレーコイル４４１の他端は、駆動回路４５０を介し発射制御回路４６０に接続されている。また、常開型リレースイッチ４４２は、その一端にて、全波整流器３２０の正側出力端子に接続されており、このリレースイッチ４４２の他端は、補助リニアアクチュエータ９０ｄのソレノイドを介し接地されている。
【００７１】
しかして、補助電磁リレー４４０において、リレーコイル４４１は、発射制御回路４６０の制御に基づき、駆動回路４５０により励磁或いは消磁される。リレースイッチ４４２は、リレーコイル４４１の励磁により閉成されて、全波整流器３２０からの直流電圧を補助リニアアクチュエータ９０ｄのソレノイドに印加し、また、リレーコイル４４１の消磁により開成されて、全波整流器３２０を補助リニアアクチュエータ９０ｄのソレノイドから遮断する。
【００７２】
ダイオード４７０は、リレースイッチ４４２に並列接続されており、このダイオード４７０は、そのカソードにて、全波整流器３２０の正側出力端子に接続され、そのアノードにて、補助リニアアクチュエータ９０ｄのソレノイドを介し接地されている。
【００７３】
しかして、当該ダイオード４７０は、リレースイッチ４４２の開成時における全波整流器３２０から補助リニアアクチュエータ９０ｄのソレノイドへの直流電圧の印加を阻止する。
【００７４】
発射制御回路４６０は、マイクロコンピュータからなるもので、この発射制御回路４６０は、図６にて示すフローチャートに従い、コンピュータプログラムを実行する。この実行中において、当該発射制御回路４６０は、コンデンサ４１０の充電完了及び操作ハンドル１００からの発射要求のもと、補助リニアアクチュエータ９０ｄ及びロータリーソレノイド９０ｃの駆動処理その他の処理を行う。なお、上記コンピュータプログラムは、発射制御回路４６０のＲＯＭに当該発射制御回路により読み出し可能に予め記憶されている。
【００７５】
以上のように構成した本第１実施形態において、当該パチンコ遊技機の出荷の際、コンデンサ４１０は充電完了状態にあるものとする。これに伴い、電気制御回路４００においては、ツェナーダイオード４２０がコンデンサ４１０の充電電圧に基づき一定のブレーク電圧を発生している。このため、コンデンサ４１０の放電電圧に基づく電流がツェナーダイオード４２０及び抵抗４２１を通り電磁リレー４３０のリレーコイル４３１に流入する。従って、電磁リレー４３０は、そのリレーコイル４３１の励磁によりリレースイッチ３４２を閉成している。このことは、リレースイッチ３４２がその可動接点３４２ａにて接地されていることを意味する。
【００７６】
このような状態において、発射制御回路４６０が作動状態におかれると、この発射制御回路４６０は、図６のフローチャートに従い、上記コンピュータプログラムの実行を開始し、ステップ５００において、充電完了か否かにつき判定する。現段階では、上述のごとく、コンデンサ４１０の充電完了に基づきリレースイッチ３４２がその可動接点３４２ａにて接地されていることから、ステップ５００においてＹＥＳと判定される。
【００７７】
ついで、ステップ５１０において、発射要求の有無が判定される。現段階において、操作ハンドル１００が未操作の状態にあれば、当該操作ハンドル１００は操作信号を出力していない。このため、ステップ５１０においてＮＯとの判定が繰り返される。
【００７８】
然る後、遊技者による遊技球の購入に伴い、所定購入数の遊技球が当該パチンコ遊技機の払い出し系統から払い出されると、このように払い出された所定購入数の遊技球は、球受け皿８０ａ内に貯留された後、発射レール部材９０ｅのレール部９９ｂの長手方向下端部上にて球ストッパ９９ｃにより保持されるように、順次、誘導機構８０の誘導路８１内に誘導される。
【００７９】
このような状態において、遊技者が操作ハンドル１００を回動操作すると、当該操作ハンドル１００がハイレベルの操作信号を発生する。この操作信号は遊技球に対する発射要求であることから、ステップ５１０においてＹＥＳと判定される。すると、次のステップ５２０において、発射制御回路４６０に内蔵してなるソフトタイマーのリセットスタート処理がなされる。このため、当該ソフトタイマーがそのリセットに伴い計時作動を開始する。
【００８０】
ついで、ステップ５３０において、発射時期か否かが判定される。ここで、上述のソフトタイマーの計時値が遊技球の発射時期になっておれば、ステップ５３０における判定がＹＥＳとなる。
【００８１】
すると、現段階では、上述のごとく、コンデンサ４１０は充電完了状態に維持されていることから、ステップ５４０において、補助リニアアクチュエータ９０ｄの駆動処理がなされる。即ち、駆動回路４５０が、発射制御回路４６０からの駆動指令に基づき、電磁リレー４４０のリレーコイル４４１を励磁する。このため、リレースイッチ４４２が閉成し、コンデンサ４１０の充電電圧が、電磁リレー４４０のリレースイッチ４４２を介し補助リニアアクチュエータ９０ｄのソレノイドに印加される。
【００８２】
これに伴い、補助リニアアクチュエータ９０ｄにおいては、鉄心９６が、補助リニアアクチュエータ９０ｄのソレノイドの励磁により吸引されて、コイルバネ９７ａに抗して軸動する。このため、槌本体９１が、その回動部９１ａにて、補助リニアアクチュエータ９０ｄの鉄心９６の先端部９６ａにより押打されて、図７の図示実線の回動位置から図８の図示二点鎖線の回動位置に向けて時計方向に回動する。
【００８３】
上述のステップ５４０における処理後、ステップ５５０において、上記ソフトタイマーのリセットスタート処理がなされる。これにより、当該ソフトタイマーがそのリセットにより計時を開始する。
【００８４】
ついで、ステップ５６０において待ち時間の経過か否かが判定される。本実施形態において、上記待ち時間は、上述した槌本体９１に対する補助リニアアクチュエータ９０ｄの鉄心９６による押打に基づき、槌本体９１をその初期回動角（図７の図示実線の回動位置から図８の図示二点鎖線の回動位置まで）だけ回動するに要する時間に相当する。
【００８５】
然る後、上記ソフトタイマーの計時値が上記待ち時間を経過すると、槌本体９１が上記初期回動角だけ回動したことから、ステップ５６０においてＹＥＳと判定される。このとき、槌本体９１の回動部９１ａは、図８の二点鎖線にて示す回動位置（上記初期回動角だけ回動したときの回動位置に相当）にある。
【００８６】
上述のようにステップ５６０においてＹＥＳと判定されると、次のステップ５７０において、ロータリーソレノイド９０ｃの駆動処理がなされる。
【００８７】
この駆動処理では、電磁リレー２２０が、リレーコイル２２１にて、発射制御回路４６０による制御のもと、駆動回路２３０により励磁されて、リレースイッチ２２２を閉成する。このため、主電源２１０が、直流電圧を、リレースイッチ２２２を介しロータリーソレノイド９０ｃに印加する。
【００８８】
これに伴い、ロータリーソレノイド９０ｃが、上記渦巻き状バネに抗して回動し、上述のごとく図８の二点鎖線にて示す回動位置にある槌９１を発射レール部材９０ｅに向けてさらに時計方向へ回動させる。これに伴い、槌部材９０ｂが、コイルバネ９２によりその先端部９２ａにて、上述ように球ストッパ９９ｃにより保持されている遊技球Ｓを押打して発射する（図８にて槌部材９０ｂの実線で示す回動位置参照）。
【００８９】
このため、当該遊技球Ｓが、発射レール部材９０ｅの発射レール９９ｂ及びガイドレール２０を通り上記遊技領域内に移動していく。
【００９０】
これに伴い、当該遊技球が羽根車３０の板羽根３２ｂに衝突すると、羽根車３０が回転し、交流発電機３１０がその回転により発電し交流電圧を発生し、全波整流器３２０が当該交流電圧を全波整流して直流電圧としてコンデンサ４１０に印加する。これにより、当該コンデンサ４１０が充電される。
【００９１】
以後、さらに、球受け皿８０ａから球誘導機構８０の誘導路８１内に順次誘導される遊技球毎に、上述と同様にして、槌部材９１を、補助リニアアクチュエータ９０ｄにより回動させた上でロータリーソレノイド９０ｃでもって回動させることにより、発射レール部材９０ｅ及びガイドレール２０を介し、上記遊技領域内に発射されて、羽根車３０を継続的に回転させると、交流発電機３１０は、当該羽根車４０の継続的な回転に伴い発電して、継続的に交流電圧を発生する。
【００９２】
このため、この継続的な交流電圧は、全波整流器３２０により継続的に全波整流されて直流電圧として、コンデンサ４１０に継続的に印加される。このことは、当該コンデンサ４１０の継続的な充電が維持されることを意味する。
【００９３】
従って、上述のごとく、コンデンサ４１０の充電電圧が補助リニアアクチュエータ９０ｄのソレノイドに印加されても、以上のようにコンデンサ４１０の充電が継続的になされることで、当該コンデンサ４１０は、常時、充電完了状態に維持される。これにより、コンデンサ４１０の充電不足を未然に防止しつつ、補助リニアアクチュエータ９０ｄを、コンデンサ４１０の充電電圧でもって、良好に、駆動し得る。
【００９４】
その結果、槌部材９０ｂによる遊技球の発射にあたり、球発射ユニット９０における槌部材９０ｂに大きな静止摩擦抵抗が作用していても、補助リニアアクチュエータ９０ｄでもって、槌部材９０ｂをその初期回動角（槌部材９０ｂの図７にて図示実線の回動位置及び図８にて図示二点鎖線の回動位置参照）だけ良好に回動させることができる。
【００９５】
さらに、槌部材９０ｂを初期回動角だけ回動させた上で、ロータリーソレノイド９０ｃでもって当該槌部材９０ｂをさらに回動させることで、発射レール部材９０ｅと槌ストッパ９９ｃとの間に保持してある遊技球Ｓを押打により発射させる。これにより、ロータリーソレノイド９０ｃの回動角を、補助リニアアクチュエータ９０ｄに依存することなく、当該ロータリーソレノイド９０ｃのみに依る場合の回動角よりも小さくすることができる。
【００９６】
その結果、コンデンサ４１０の放電出力を補助リニアアクチュエータ９０ｄの駆動に利用することで、ロータリーソレノイド９０ｃの回動に要する主電源回路２００の電力が良好に軽減され得る。このことは、商用電源ＰＳの商用電力消費の節減に大きく貢献することを意味する。
（第２実施形態）
図９〜図１１は、本発明の第２実施形態の要部を示している。この第２実施形態では、上記第１実施形態にて述べた羽根車３０とは別途、当該羽根車３０に対応する羽根車３０Ａが、付加的に、当該パチンコ遊技機の球払い出し系統の断面矩形状の払い出し通路１０ａに配設されている。なお、払い出し通路１０ａは、当該パチンコ遊技機の板状本体枠Ｂａの右縁内部に沿い上下方向に配設されている。
【００９７】
羽根車３０Ａは、詳細には、羽根車３０と同様の構成を有しており、当該羽根車３０Ａは、図９及び図１０にて示すごとく払い出し通路１０ａの上下方向中間部位に形成した収容部１０ｂ内に収容支持されている。
【００９８】
ここで、収容部１０ｂは、図９にて示すごとく、払い出し通路１０ａの上下方向中間部位にて、その一側壁部位１１を外方へ半円環状に隆起させるとともに、この一側壁部位１１に直交する両側壁部位１２、１３を半円板状に外方へ延出させて構成されている。
【００９９】
羽根車３０Ａは、支持軸３３にて、円板３１の中央穴部及び中空軸３２ａに相対的に回動自在に挿通されて側壁部位１３に支持されている。しかして、当該羽根車３０Ａは、収容部１０ｂ内にて回動可能に支持されている。
【０１００】
また、本第２実施形態では、上記第１実施形態にて述べた補助電源回路３００において、小型交流発電機３１０及び全波整流器３２０とは、別途、当該小型交流発電機３１０及び全波整流器３２０に対応する小型交流発電機３３０及び全波整流器３４０が、付加的に採用されている。
【０１０１】
交流発電機３３０は、その回転軸（図示しない）にて、払い出し通路１０ａの収容部１０ｂの側壁部位１３の貫通孔部（図示しない）を通り羽根車３０Ａの支持軸３３と同軸的に連結されている。
【０１０２】
また、全波整流器３４０は、全波整流器３２０の各ダイオード３２１〜３２４に対応する各ダイオード３４１〜３４４でもってブリッジ回路を構成している。ダイオード３４１のカソード及びダイオード３４２のアノードは、全波整流器３４０の正側電源端子を構成し、ダイオード３４３のアノード及びダイオード３４４のカソードは、全波整流器３４０の負側電源端子を構成する。また、両ダイオード３４２、３４３の各カソードは全波整流器３４０の正側出力端子を構成しコンデンサ４１０を介し接地され、両ダイオード３４１、３４４の各アノードは全波整流器３２０の負側出力端子を構成し接地されている。その他の構成は、上記第１実施形態と同様である。
【０１０３】
このように構成した本第２実施形態において、上記第１実施形態とは異なり、当該パチンコ遊技機の出荷の際、コンデンサ４１０は未充電状態にあるものとする。このため、電気制御回路４００においては、電磁リレー４３０のリレースイッチ３４２が、ツェナーダイオード４２０の非導通のもと開成状態にある。従って、発射制御回路４６０は、ステップ５００においてＮＯとの判定を繰り返す。
【０１０４】
このような状態において、遊技者が遊技球の購入処理を行うと、所定の購入数（例えば、１０００個）の遊技球が、上記球払い出し機構によりその払い出し通路１０ａに供給される。すると、このように供給された各遊技球は、順次、払い出し通路１０ａを通り球受け皿８０ａ内に払い出される。
【０１０５】
また、このように球受け皿８０ａ内に払い出された各遊技球は、順次、発射レール部材９０ｅのレール部９９ｂの長手方向下端部上にて球ストッパ９９ｃにより保持されるように誘導機構８０により誘導路８１内に誘導される。
【０１０６】
上述のような各遊技球の払い出し過程において、当該各遊技球が、順次、払い出し通路１０ａの収容部１０ｂに達すると、これら各遊技球は、順次、羽根車３０Ａをその羽根部材３２との衝突により回転させる。このため、交流発電機３３０が、当該羽根車３０Ａにより駆動されて回転して発電し、交流電圧を発生する。
【０１０７】
すると、この交流電圧が、上記第１実施形態と同様に、全波整流器３２０により全波整流され直流電圧としてコンデンサ４１０に印加される。このため、コンデンサ４１０が充電される。この充電は、上述の購入数の遊技球の払い出し完了による羽根車３０Ａの停止まで継続される。このような充電によれば、上述の購入数が１０００個と多いことから、コンデンサ４１０は、充電完了状態となる。
【０１０８】
換言すれば、上記第１実施形態にて述べたようにコンデンサ４１０を予め充電した上でパチンコ遊技機を出荷するというような面倒な工程を経ることなく、当該パチンコ遊技機の出荷後、ホールに設置した上で、上述のような払い出しによる遊技球でもって、羽根車３０Ａを介し交流発電機３３０から発生させる交流電圧を利用して、全波整流器３２０を介しコンデンサ４１０を充電完了状態に充電し得る。
【０１０９】
これに伴い、ツェナーダイオード４２０が、上記一定のブレーク電圧を発生し、コンデンサ４１０の放電電圧に基づく電流がツェナーダイオード４２０及び抵抗４２１を通り電磁リレー４３０のリレーコイル４３１に流入する。これに伴い、電磁リレー４３０が、そのリレーコイル４３１の励磁によりリレースイッチ３４２を閉成する。従って、リレースイッチ３４２がその可動接点３４２ａにて接地される。これにより、ステップ５００においてＹＥＳと判定される。
【０１１０】
然る後、上記第１実施形態と同様にステップ５３０においてＹＥＳと判定されると、現段階では、上述のごとく、コンデンサ４１０は充電完了状態に維持されていることから、ステップ５４０において、上記第１実施形態と同様に、補助リニアアクチュエータ９０ｄが、コンデンサ４１０からの放電電圧に基づき駆動処理される。
【０１１１】
これに伴い、槌本体９１が、上記第１実施形態と同様に、その回動部９１ａにて、補助リニアアクチュエータ９０ｄの鉄心９６により押打されて、図８の図示二点鎖線の回動位置に向けて時計方向に回動する。
【０１１２】
そして、ステップ５６０におけるＹＥＳとの判定が上記第１実施形態と同様になされると、槌本体９１が、ロータリーソレノイド９０ｃの回動により、図８にて実線で示す回動位置に向けてさらに回動する。これにより、遊技球が上記第１実施形態と同様に発射されて上記遊技領域内に移動していく。
【０１１３】
これに伴い、羽根車３０が、当該遊技球の羽根部材３２との衝突により回転すると、交流発電機３１０が交流電圧を発生し、全波整流器３２０が当該交流電圧を全波整流して直流電圧としてコンデンサ４１０に印加する。これにより、当該コンデンサ４１０が充電される。
【０１１４】
以後、羽根車３０が、上記第１実施形態と同様にして上記遊技領域内に順次発射される各遊技球により継続的に回転され、交流発電機３１０は、継続的に交流電圧を発生し、全波整流器３２０が、当該交流電圧を継続的に全波整流し直流電圧として、コンデンサ４１０に継続的に印加する。このため、当該コンデンサ４１０の継続的な充電が維持される。
【０１１５】
従って、上述のように羽根車３０Ａ及び交流発電機３３０による発電でもって充電完了状態になったコンデンサ４１０の放電電圧に基づき補助リニアアクチュエータ９０ｄが駆動されても、その後の羽根車３０及び交流発電機３１０による発電のもとにコンデンサ４１０が、常時、充電完了状態に維持される。このため、本第２実施形態においても、コンデンサ４１０の充電不足を未然に防止しつつ、補助リニアアクチュエータ９０ｄを、コンデンサ４１０の充電電圧でもって、良好に、駆動し得る。その結果、本第２実施形態においても、上記第１実施形態と同様に、補助リニアアクチュエータ９０ｄ及びロータリーソレノイド９０ｃでもって、遊技球を発射させることで、ロータリーソレノイド９０ｃの回動に要する主電源回路２００の電力が、良好に節減され得る。
（第３実施形態）
図１２は、本発明の第３実施形態の要部を示している。この第３実施形態では、発射制御回路４６０Ａが、上記第１実施形態にて述べた発射制御回路４６０（図５参照）に代えて、採用されている。
【０１１６】
発射制御回路４６０Ａは、発射パルス生成回路４６１、ゲート回路４６２及び遅延回路４６３でもって構成されている。発射パルス生成回路４６１は、所定周期の発射パルスを順次生成する。
【０１１７】
ゲート回路４６２は、インバータゲート４６２ａ及びＡＮＤゲート４６２ｂを有しており、インバータゲート４６２ａは、その入力端子にて、上記第１実施形態にて述べた電磁リレー４３０におけるリレースイッチ３４２の可動接点３４２ａに接続されている。しかして、当該インバータゲート４６２ａは、電磁リレー４３０の可動接点３４２ａに生ずる電圧のレベルを反転して反転信号を発生する。例えば、電磁リレー４３０の可動接点３４２ａが接地レベルになると、当該インバータゲート４６２ａは、ハイレベルにて反転信号を発生する。
【０１１８】
ＡＮＤゲート４６２ｂは、その各入力端子にて、発射パルス生成回路４６１、インバータゲート４６２ａ及び上記第１実施形態にて述べた操作ハンドル１００の各出力端子に接続されている。しかして、インバータゲート４６２ａ及び操作ハンドル１００の両出力の双方がハイレベルのとき、当該ＡＮＤゲート４６２ｂは、発射パルス生成回路４６１から順次発生する発射パルスを受けて、これら各発射パルスと同一波形及び同一位相の各ゲート信号を順次発生して遅延回路４６３及び上記第１実施形態にて述べた駆動回路４５０に入力する。
【０１１９】
しかして、駆動回路４５０は、ＡＮＤゲート４６２ｂから順次入力されるゲート信号毎に、上記第１実施形態にて述べた補助電磁リレー４４０のリレーコイル４４１を励磁する。このことは、補助電磁リレー４４０が、リレーコイル４４１の励磁毎に、リレースイッチ４４２を閉成することを意味する。
【０１２０】
遅延回路４６３は、ＡＮＤゲート４６２ｂから順次入力されるゲート信号毎に、当該ゲート信号を所定の遅延時間の間だけ遅延させ遅延信号として発生し上記第１実施形態にて述べた駆動回路２３０に入力する。しかして、この駆動回路２３０は、遅延回路４６３から順次入力される遅延信号毎に、上記第１実施形態にて述べた電磁リレー２２０のリレーコイル２２１を励磁する。このことは、電磁リレー２２０が、リレーコイル２２１の励磁毎に、リレースイッチ２２２を閉成することを意味する。本第３実施形態では、上述の所定の遅延時間は、上記第１実施形態にて述べた槌部材９０ｂによる上記初期回動角（槌部材９０ｂの図７にて図示実線の位置及び図８にて図示二点鎖線の位置参照）の回動に要する時間に対応する。その他の構成は、上記第１実施形態と同様である。
【０１２１】
このように構成した本第３実施形態において、当該パチンコ遊技機の出荷の際、コンデンサ４１０が上記第１実施形態と同様に充電完了状態にあれば、電磁リレー４３０が、そのリレースイッチ３４２の可動接点３４２ａにて接地されている。このため、ゲート回路４６２のインバータゲート４６２ａはハイレベルにて反転信号を発生している。
【０１２２】
このような状態において、発射制御回路４６０Ａが作動状態におかれると、発射パルス生成回路４６１が上記所定の周期にて発射パルスを順次発生する。このとき、上述のごとくインバータゲート４６２ａの反転信号がハイレベルにあっても、操作ハンドル１００が未操作の状態にあれば、当該操作ハンドル１００はハイレベルの操作信号を出力していない。このため、ＡＮＤゲート４６２ｂは、ゲート信号を発生しない。
【０１２３】
然る後、所定購入数の遊技球が、上記第１実施形態と同様に、その払い出しにより球受け皿８０ａ内に貯留された後、順次、誘導機構８０の誘導路８１内に誘導される。
【０１２４】
このような状態において、上述のごとくインバータゲート４６２ａがハイレベルの反転信号を発生している状態において、操作ハンドル１００が上記第１実施形態と同様にハイレベルの操作信号を発生すると、ＡＮＤゲート４６２ｂが、発射パルス生成回路４６１からの発射パルスに応答してゲート信号を発生し、駆動回路４５０及び遅延回路４６３に入力する。
【０１２５】
すると、補助電磁リレー４４０が、そのリレーコイル４４１にて、ＡＮＤゲート４６２ｂからのゲート信号に基づき駆動回路４５０により励磁されて、リレースイッチ４４２を閉成する。これに伴い、コンデンサ４１０の充電電圧が、電磁リレー４４０のリレースイッチ４４２を介し補助リニアアクチュエータ９０ｄのソレノイドに印加される。
【０１２６】
このため、補助リニアアクチュエータ９０ｄが、そのソレノイドの吸引による鉄心９６の軸動によって、槌部材９０ｂの回動部９１ａを押打する。これに伴い、槌部材９０ｂが、上記第１実施形態と同様に、図７の図示実線の回動位置から図８の図示二点鎖線の回動位置に向けて時計方向に回動する。
【０１２７】
然る後、遅延回路４６３が、ＡＮＤゲート４６２ｂからのゲート信号の入力後上記所定の遅延時間の経過時に、遅延信号を発生し駆動回路２３０に入力すると、電磁リレー２３０が、そのリレーコイル２２１にて、駆動回路２３０により励磁されて、リレースイッチ２２２を閉成する。このことは、リレースイッチ２２２が、上記第１実施形態にて述べた槌部材９０ｂの初期回動角（図７の図示実線の回動位置から図８の図示二点鎖線の回動位置までの回動角）だけ回動したときに、閉成されることを意味する。
【０１２８】
しかして、上述のように電磁リレー２３０のリレースイッチ２２２が閉成されると、ロータリーソレノイド９０ｃが、主電源２１０から直流電圧を印加されて、上記第１実施形態と同様に回動し、上述のごとく図８の二点鎖線にて示す回動位置にある槌９１を発射レール部材９０ｅに向けてさらに時計方向へ回動させる。これに伴い、槌部材９０ｂが、コイルバネ９２によりその先端部９２ａにて、上述ように球ストッパ９９ｃにより保持されている遊技球Ｓを押打して発射する。
【０１２９】
このため、当該遊技球Ｓが、発射レール部材９０ｅの発射レール９９ｂ及びガイドレール２０を通り上記遊技領域内に移動して羽根車３０を回転させると、コンデンサ４１０が、上記第１実施形態と同様に、交流発電機３１０及び全波整流器３２０により充電される。
【０１３０】
以後、発射パルス生成回路４６１から上記発射パルスに後続して順次発生する射パルス毎に、ＡＮＤゲート４６２ｂがゲート信号を発生すると、球誘導機構８０の誘導路８１内に順次誘導される遊技球毎に、上述と同様にして、槌部材９１を、補助リニアアクチュエータ９０ｄにより回動させた上でロータリーソレノイド９０ｃでもって回動させることにより、上記遊技領域内に発射されて、羽根車３０を継続的に回転させ、交流発電機３１０及び全波整流器３２０でもって、コンデンサ４１０を充電し続ける。
【０１３１】
これにより、上記第１実施形態と同様に、コンデンサ４１０の充電不足を未然に防止しつつ、補助リニアアクチュエータ９０ｄを、コンデンサ４１０の充電電圧でもって、良好に、駆動し得る。その結果、発射パルス生成回路４６１からの発射パルスの発生毎に、上記第１実施形態と同様の作用効果が達成され得る。
【０１３２】
また、本第３実施形態において、上記第２実施形態にて述べた小型交流発電機３３０及び全波整流器３４０を上記第２実施形態と同様にコンデンサ４１０を充電するように採用した場合には、上記第２実施形態と同様の作用効果が達成され得る。
【０１３３】
なお、本発明の実施にあたり、上記各実施形態に限ることなく、次のような種々の変形例が挙げられる。
（１）本発明の実施にあたっては、電磁リレー４３０或いは補助電磁リレー４４０に代えて、例えば、光学式リレーやトランジスタ等の半導体式スイッチングリレー等の無接点リレーを採用してもよい。
（２）小型交流発電機３１０或いは３３０は、小型直流発電機でもよい。この場合には、全波整流器３２０は不要となる。
（３）全波整流器３２０は、２つのダイオードからなるハーフブリッジ回路或いは単一のダイオードであってもよい。
（４）コンデンサ４１０に代えて、複数の並列コンデンサ或いは直列コンデンサを採用してもよい。
（５）羽根車３０或いは３０Ａは、遊技球との衝突により回転する回転素子であればよい。
（６）ロータリーソレノイド９０ｃに代えて、リニアアクチュエータを主リニアアクチュエータとして採用してもよい。この場合、当該主リニアアクチュエータは、補助リニアアクチュエータ９０ｄと実質的に同様の構成を有し、支持板９０ａの右側にて補助リニアアクチュエータ９０ｄの下側に支持される。
【０１３４】
しかして、筒部材９０ｂが、上記実施形態にて述べたように補助リニアアクチュエータ９０ｄにより押打された後、上記主リニアアクチュエータにより押打されることで、槌部材９０ｂによる遊技球の発射が、上記第１或いは第２の実施形態に行われる。これによっても、上記第１或いは第２の実施形態と同様の作用効果が達成され得る。
（７）また、本発明の実施にあたり、上記第２の実施形態において、コンデンサ４１０が、遊技にあたり、何らかの例外的事情により、充電不足となって、ステップ５００における判定がＮＯとなる場合には、ステップ５００におけるＮＯとの判定に伴い、ロータリーソレノイド９０ｃにより、補助リニアアクチュエータ９０ｄに依存することなく、槌部材９０ｂをその原回動位置（図７参照）から図８の実線で示す回動位置まで回動させて、遊技球を発射させるようにする。これによれば、コンデンサ４１０の充電不足に起因する遊技不能という不足の事態の発生を未然に防止しつつ、上記第２の実施形態の作用効果が達成され得る。
（８）本発明の実施にあたり、球発射装置Ｕに限ることなく、例えば、球受け皿８０ａ内の遊技球を抜くために当該パチンコ遊技機に設けられている球抜き弁に本発明を適用してもよい。この場合、当該球抜き弁を開くにあたり、補助リニアアクチュエータ９０ｄにより当該球抜き弁を初期的に開き、然る後に、ロータリーソレノイド９０ｃにより当該球抜き弁を全開させるようにする。これによっても、上記第１或いは第２の実施形態にて述べた商用電力の節減が可能となる。
【０１３５】
また、本発明の実施にあたり、球発射装置Ｕに限ることなく、例えば、遊技盤Ｂｂの盤面のうち表示装置Ｄａ（図１参照）の右側部位に回動可能に設けたキャラクター、リボンや刀等の演出体（図示しない）を、補助リニアアクチュエータ９０ｄにより、表示装置Ｄａの表示面に向けて上記初期回動角だけ回動させ、然る後、当該演出体を、ロータリーソレノイド９０ｃにより表示装置Ｄａの表示面をその前方から臨むように、さらに回動させるようにしても、上記実施形態と同様の作用効果が達成され得る。
（９）本発明の実施にあたり、ロータリーソレノイド９０ｃに限ることなく、ステップモータ、直流電動機等の各種の電動機等の電気的回動機を、主発射機構９０ｃとして採用してもよい。
（１０）本発明の実施にあたり、上記ソフトタイマーに代えて、外付けのタイマーを採用して、このタイマーに上記ソフトタイマーと同様の機能をもたせてもよい。
（１１）羽根車３０に代えて、遊技盤Ｂｂの盤面にコイルを設けて、遊技球がこのコイルを通過するときに当該コイルに発生する電力を全波整流器３２０或いは３４０により整流するようにしてもよい。これに伴い、交流発電機３１０或いは３３０が不要となる。
（１２）羽根車３０Ａに代えて、上記払い出し通路１０ａ内にコイルを設けて、遊技球が払い出し通路１０ａ内のコイルを通過するときに当該コイルに発生する電力を全波整流器３２０或いは３４０により整流するようにしてもよい。これに伴い、交流発電機３１０或いは３３０が不要となる。
（１３）コンデンサ４１０に代えて、リチウム電池等の充電可能な電池を採用し、この電池を全波整流器３２０或いは３４０の出力でもって充電するようにしてもよい。
（１４）本発明の実施にあたり、ゲート回路４６２は、インバータゲート４６２ａ及びＡＮＤゲート４６２ｂの構成に限ることなく、種々の論理ゲート素子の組み合わせでもって、構成してもよい。
【図面の簡単な説明】
【０１３６】
【図１】本発明に係るパチンコ遊技機の第１実施形態を、前扉の開状態で示す正面図である。
【図２】図１の羽根車の拡大正面図である。
【図３】図１の羽根車及びこの羽根車に同軸的に連結する交流発電機の拡大側面図である。
【図４】図１の球発射ユニットの拡大正面図である。
【図５】図４の球発射ユニットのための制御装置を示す電気回路図である。
【図６】図５のマイクロコンピュータの作用を示すフローチャートである。
【図７】図４の球発射ユニットの補助リニアアクチュエータの動作を説明するための説明図である。
【図８】図７の球発射ユニットのロータリーソレノイドの動作を説明するための説明図である。
【図９】図１０にて９−９線に沿う断面図である。
【図１０】本発明の第２実施形態の払い出し通路を羽根車及び交流発電機と共に示す側面図である。
【図１１】上記第２実施形態における球発射ユニットのための制御装置を示す電気回路図である。
【図１２】本発明の第３実施形態の要部を示す電気回路図である。
【符号の説明】
【０１３７】
Ｂ…遊技機本体、Ｄ…前扉、ＰＳ…商用電源、Ｕ…球発射装置、１０…遊技板、
１０ａ…払い出し通路、３０、３０Ａ…羽根車、８０…球誘導機構、８０ａ…球受け皿、
９０…球発射ユニット、９０ｂ…槌部材、９０ｂ…ロータリーソレノイド、
９０ｄ…補助リニアアクチュエータ、１００…操作ハンドル、２００…主電源回路、
２２０…主電磁リレー、３００…補助電源回路、３２０、３４０…全波整流器、
３１０、３３０…小型交流発電機、４１０…コンデンサ、４２０…ツェナーダイオード、
４６０、４６０Ａ…発射制御回路、４３０…充電完了状態検出用電磁リレー、
４４０…補助電磁リレー。
【図１】
2009072337.tif 000003
【図２】
2009072337.tif 000004
【図３】
2009072337.tif 000005
【図４】
2009072337.tif 000006
【図５】
2009072337.tif 000007
【図６】
2009072337.tif 000008
【図７】
2009072337.tif 000009
【図８】
2009072337.tif 000010
【図９】
2009072337.tif 000011
【図１０】
2009072337.tif 000012
【図１１】
2009072337.tif 000013
【図１２】
2009072337.tif 000014